(57)【要約】【課題】  帰国者または入国者が罹患している可能性のある感染症の情報をユーザが効率よく確認できるように提示することが可能な感染症情報提示装置及び感染症情報提示方法を提供する。【解決手段】  電子カルテシステム１のサーバ３０（感染症情報提示装置）は、患者の渡航歴を例えばクライアント端末２０ａ、２０ｂから取得し、感染症情報データベース１１を検索して、渡航先の各国で発生した感染症について少なくとも潜伏期間及び有病期間の情報を取得する。サーバ３０は、潜伏期間及び有病期間の情報と患者の渡航歴とに基づいて感染症に感染した可能性の度合いを示す罹患度を算出し、クライアント端末２０ａ、２０ｂに送信する。これにより、ユーザ(医師等)は患者が罹患している可能性が高い感染症についての罹患度を効率よく確認できる。よってユーザが重要な感染症情報を見落すリスクを低減できる。【選択図】図１
2017126244.tif 000002
【特許請求の範囲】
【請求項１】
患者の渡航歴を取得する渡航歴取得部と、
渡航先の各国で発生した感染症について少なくとも潜伏期間及び有病期間の情報を取得する情報取得部と、
前記潜伏期間及び有病期間の情報と前記渡航歴とに基づいて前記感染症に感染した可能性の度合いを示す罹患度を算出する算出部と、
算出した罹患度の情報を出力する情報出力部と、
を備えることを特徴とする感染症情報提示装置。
【請求項２】
前記渡航歴取得部は、操作者の操作によりデータを入力する入力装置を介して入力された渡航歴の情報を取得することを特徴とする請求項１に記載の感染症情報提示装置。
【請求項３】
前記算出部は、前記潜伏期間及び有病期間の和と、渡航国からの出国日時から現在日時または所望の日時までの期間とを比較することにより前記罹患度を算出することを特徴とする請求項１または請求項２記載の感染症情報提示装置。
【請求項４】
前記情報取得部は各感染症の流行期間の情報を更に取得し、
前記患者が前記感染症の該当国に滞在した期間が前記流行期間であるか否かを判定する流行判定部を更に備え、
前記算出部は、前記流行判定部による判定結果に応じて前記罹患度の値を調整することを特徴とする請求項１から請求項３のいずれかに記載の感染症情報提示装置。
【請求項５】
前記潜伏期間及び有病期間は、それぞれ最大値、最小値、平均値の情報として取得され、
前記算出部は、前記潜伏期間及び有病期間の和の最大値、最小値、及び平均値と渡航先からの出国日時から現在日時または所望の日時までの期間とをそれぞれ比較することにより前記罹患度を算出することを特徴とする請求項１から請求項４のいずれかに記載の感染症情報提示装置。
【請求項６】
前記算出部は、前記罹患度を偏差値として求めることを特徴とする請求項１から請求項５のいずれかに記載の感染症情報提示装置。
【請求項７】
患者の問診情報を取得する問診情報取得部を備え、
前記情報取得部は、更に各感染症の症状に関する情報を取得し、
前記算出部は、前記問診情報と前記各感染症の症状に関する情報とに基づいて感染症類似度を更に算出し、
前記情報出力部は、前記感染症類似度を更に出力する
ことを特徴とする請求項１から請求項６のいずれかに記載の感染症情報提示装置。
【請求項８】
前記罹患度を算出した感染症について前記感染症の重篤度または感染症の予防に関する情報を検索する検索部を更に備え、
前記情報出力部は前記罹患度とともに検索により得た感染症の重篤度または感染症の予防に関する情報を提示することを特徴とする請求項１から請求項７のいずれかに記載の感染症情報提示装置。
【請求項９】
前記情報取得部は前記渡航先の各国で発生した感染症について、人に感染させるおそれがある期間である感染可能期間の情報を更に取得し、
前記算出部は前記感染可能期間の情報と前記渡航歴とに基づいて更に感染可能度を算出し、
前記情報出力部は、前記感染可能度を更に出力することを特徴とする請求項１から請求項８のいずれかに記載の感染症情報提示装置。
【請求項１０】
ネットワークを介してクライアント端末と通信接続する通信部を更に備え、
前記算出部はクライアント端末からの要求に応じて前記罹患度を算出し、
前記情報提示部は、算出した罹患度を前記クライアント端末に送信し、表示させることを特徴とする請求項１から請求項９のいずれかに記載の感染症情報提示装置。
【請求項１１】
渡航先の各国で発生した感染症について少なくとも潜伏期間及び有病期間の情報を集約して記憶するデータベースがネットワーク上の記憶領域に設けられ、
前記情報取得部は、前記渡航先の国で発生した感染症についての情報を前記データベースを検索して取得することを特徴とする請求項１から請求項１０のいずれかに記載の感染症情報提示装置。
【請求項１２】
コンピュータが、
患者の渡航歴を取得するステップと、
渡航先の各国で発生した感染症について少なくとも潜伏期間及び有病期間の情報を取得するステップと、
前記潜伏期間及び有病期間の情報と前記渡航歴とに基づいて前記感染症に感染した可能性の度合いを示す罹患度を算出するステップと、
算出した罹患度の情報を出力するステップと、
を含む処理を行うことを特徴とする感染症情報提示方法。
【発明の詳細な説明】
【技術分野】
【０００１】
本発明は、感染症情報提示装置及び感染症情報提示方法に関し、詳細には感染症の診断を支援する技術に関する。
【背景技術】
【０００２】
医療施設に来院した患者に渡航歴がある場合、渡航先での感染症についても考慮されて診断が行われる。しかし、外国で発生した感染症については国内での症例が少なく、医師等が症状から病名や対処法を突き止めるまでに時間がかかるおそれがあった。そこで、例えば特許文献１には、患者の外国での生活履歴の情報を取得し、外国で発症する可能性のある病気の情報を保存したデータベースから生活履歴の情報をもとに病気の名称、症状、及び対処法等を検索し、表示する医用診断支援システム等が開示されている。
【先行技術文献】
【特許文献】
【０００３】
【特許文献１】特開２０１０−２５０６９０号公報
【発明の概要】
【発明が解決しようとする課題】
【０００４】
しかしながら、上述の特許文献１の医用診断支援システムは、患者が生活した外国の病気情報を、例えば国別に表示するものであった。そのため、帰国して時間が経過し感染の可能性がなくなった病気についても詳しい情報が表示されるため情報量が多く、必要な情報へのアクセスに時間を要し、非効率であった。
【０００５】
本発明は、前述した問題点に鑑みてなされたもので、その目的は、外国から帰国または入国した患者が罹患している可能性のある感染症を効率よく確認できるように提示する感染症情報提示装置及び感染症情報提示方法を提供することである。
【課題を解決するための手段】
【０００６】
上記目的を達成するための第１の発明は、患者の渡航歴を取得する渡航歴取得部と、渡航先の各国で発生した感染症について少なくとも潜伏期間及び有病期間の情報を取得する情報取得部と、前記潜伏期間及び有病期間の情報と前記渡航歴とに基づいて前記感染症に感染した可能性の度合いを示す罹患度を算出する算出部と、算出した罹患度の情報を出力する情報出力部と、を備えることを特徴とする感染症情報提示装置である。
【０００７】
第２の発明は、コンピュータが、患者の渡航歴を取得するステップと、渡航先の各国で発生した感染症について少なくとも潜伏期間及び有病期間の情報を取得するステップと、前記潜伏期間及び有病期間の情報と前記渡航歴とに基づいて前記感染症に感染した可能性の度合いを示す罹患度を算出するステップと、算出した罹患度の情報を出力するステップと、を含む処理を行うことを特徴とする感染症情報提示方法である。
【発明の効果】
【０００８】
本発明により、外国から帰国または入国した患者が罹患している可能性のある感染症を効率よく確認できるように提示する感染症情報提示装置及び感染症情報提示方法を提供できる。
【図面の簡単な説明】
【０００９】
【図１】本発明に係る感染症情報提示装置を適用した電子カルテシステム１のシステム構成図
【図２】サーバ３０（感染症情報提示装置）の内部構成を示す図
【図３】クライアント端末２０ａ、２０ｂの内部構成図
【図４】感染症情報管理装置１０の内部構成図
【図５】感染症情報データベース１１に記憶される感染症情報の例
【図６】感染症情報提示処理全体の流れを示すシーケンス図
【図７】渡航国名リスト５１の一例
【図８】感染症名リスト５３の一例
【図９】第１の実施の形態の感染症情報提示処理において表示される罹患度リスト５４の一例
【図１０】図６のステップＳ１０８の罹患度算出処理の流れを説明するフローチャート
【図１１】各渡航国への入国日及び出国日が反映された渡航国名リスト５５の一例
【図１２】罹患度の算出例
【図１３】罹患度調整処理の流れを説明するフローチャート
【図１４】第２の実施の形態の罹患度算出処理の流れを説明するフローチャート
【図１５】図１４の罹患度算出処理による罹患度算出例
【図１６】第３の実施の形態の罹患度算出処理の流れを説明するフローチャート
【図１７】図１６の罹患度算出処理による罹患度算出例
【図１８】第４の実施の形態の感染症情報提示処理において利用される問診項目リスト６１の例
【図１９】第４の実施の形態の感染症情報提示処理において利用される症状データテーブル６２の例
【図２０】第４の実施の形態の感染症情報提示処理の流れを示すシーケンス図
【図２１】第４の実施の形態の感染症情報提示処理において表示される感染症罹患度・類似度リスト６５の例
【図２２】感染症類似度算出処理の流れを説明するフローチャート
【図２３】問診値と感染症症状値との比較結果によって各問診項目に付与されたスコアのリスト６３を示す図
【図２４】第５の実施の形態において表示される感染症情報６４の例
【図２５】第６の実施の形態において表示される感染症情報６６の例
【図２６】第７の実施の形態において感染症情報データベース１１に記憶される感染症情報５７の例
【図２７】第７の実施の形態における感染可能度算出処理の流れを説明するフローチャート
【図２８】第７の実施の形態における感染症情報表示画面７の一例
【発明を実施するための形態】
【００１０】
以下図面に基づいて、本発明の実施形態を詳細に説明する。
【００１１】
［第１の実施の形態］
まず、本発明の第１の実施の形態として、本発明に係る感染症情報提示装置を適用した電子カルテシステム１について説明する。電子カルテシステム１は、病院内のＬＡＮ（ローカルエリアネットワーク）４１に接続されるサーバ３０と、複数のクライアント端末２０ａ、２０ｂ、…を備えて構成される。図１は、本発明に係る感染症情報提示装置の機能を電子カルテシステム１のサーバ３０が有するものとする。
【００１２】
サーバ３０（感染症情報提示装置）は、患者情報データベース（ＤＢ）３１を有する。患者情報ＤＢ３１は、患者ＩＤを検索項目として、患者名、性別、年齢などの患者情報と、疾病名などの診断情報を含むデータを検索可能なデータベースである。また、サーバ３０は電子カルテシステム１のサーバとしての機能の他、感染症情報提示装置としても機能するコンピュータである。
【００１３】
サーバ３０（感染症情報提示装置）の内部構成を図２に示す。サーバ３０として利用されるコンピュータは、制御部３０１、記憶部３０２、メディア入出力部３０３、周辺機器Ｉ／Ｆ部３０４、入力部３０５、表示部３０６、通信Ｉ／Ｆ３０７等が、バス３０９を介して接続される。但し、図２は一般的な例であり、用途、目的に応じて様々な構成を採ることが可能である。
【００１４】
制御部３０１は、ＣＰＵ（Central Processing Unit）、ＲＯＭ（Read Only Memory）、ＲＡＭ（Random Access Memory）等を備える。ＣＰＵは、記憶部３０２、ＲＯＭ、記録媒体等に格納されるプログラムをＲＡＭ上のワークメモリ領域に呼び出して実行し、バス３０９を介して接続された各装置を駆動制御する。ＲＯＭは、不揮発性メモリであり、コンピュータのブートプログラムやＢＩＯＳ等のプログラム、データ等を恒久的に保持している。ＲＡＭは、揮発性メモリであり、記憶部３０２、ＲＯＭ、記録媒体等からロードしたプログラム、データ等を一時的に保持するとともに、制御部３０１が各種処理を行うために使用するワークメモリ領域を備える。
【００１５】
記憶部３０２は、例えばＨＤＤ（ハードディスクドライブ）であり、制御部３０１が実行するプログラム、プログラム実行に必要なデータ等が格納される。プログラムに関しては、ＯＳに相当する制御プログラムや、後述の各処理に相当する各アプリケーションプログラムが格納されている。これらの各プログラムコードは、制御部３０１により必要に応じて読み出されてＲＡＭに移され、ＣＰＵに読み出されて各種の手段として実行される。
【００１６】
メディア入出力部３０３は、例えば、光ディスク、磁気ディスク等の各種記録メディアを駆動するドライブ装置等であり、記録メディア（記録媒体）へのデータの書き込み及び読み出しを行う。
周辺機器Ｉ／Ｆ部３０４は、コンピュータに周辺機器を接続させるためのポートである。
【００１７】
入力部３０５はデータの入力を行い、例えば、キーボード、マウス等のポインティングデバイス、テンキー等の入力装置を有し、入力された信号を制御部３０１へ通知する。
表示部３０６は、液晶パネル等のディスプレイ装置、ディスプレイ装置と連携してコンピュータのビデオ機能を実現するための論理回路等（ビデオアダプタ等）を有し、制御部３０１から送出された表示情報をディスプレイ装置に表示する。
【００１８】
通信Ｉ／Ｆ（インタフェース）３０７は、通信制御装置、通信ポート等を有し、ＬＡＮ４１やネットワーク４０との通信を媒介する通信インタフェースである。
バス３０９は、各装置間の制御信号、データ信号等の授受を媒介する経路である。
【００１９】
クライアント端末２０ａ、２０ｂは診察室、受付等にそれぞれ設置されるコンピュータ等から構成される。図３はクライアント端末２０ａ、２０ｂとして利用されるコンピュータの内部構成を示すブロック図である。
【００２０】
図３に示すように、クライアント端末２０ａ、２０ｂとして利用されるコンピュータは、制御部２０１、記憶部２０２、メディア入出力部２０３、周辺機器Ｉ／Ｆ部２０４、入力部２０５、表示部２０６、通信Ｉ／Ｆ２０７等が、バス２０９を介して接続される。また、周辺機器Ｉ／Ｆ部２０４に、パスポート情報読取装置２０８が接続されるようにしてもよい。但し、図３の例は一般的な例であり、用途、目的に応じて様々な構成を採ることが可能である。
【００２１】
パスポート情報読取装置２０８は、パスポートに記録された情報であるパスポート情報を例えば画像認識処理によって読み取り、制御部２０１へ入力する。患者が持参したパスポートをパスポート情報読取装置２０８にかざすと、パスポート情報読取装置２０８はパスポートの記録を読み取り、制御部２０１に入力する。診察室に設置されたクライアント端末２０ａはユーザー(医師)によって操作可能な端末である。診察室に設置されたクライアント端末２０ａは、受付に設置されたクライアント端末２０ｂが取得したパスポート情報等を病院内のＬＡＮ４１及びサーバ３０を介して取り込むことが可能である。
【００２２】
電子カルテシステム１はＬＡＮ４１及びルータ(図示省略)を介してインターネットなどの公衆回線を含むネットワーク４０に接続する。また、電子カルテシステム１は、ネットワーク４０とルータ(図示省略)を介して、感染症情報管理装置１０に接続できる。
【００２３】
感染症情報管理装置１０は、感染症情報を管理する例えばＷｅｂサイト等のサーバ装置である。感染症情報管理装置１０は、所定の機関が収集した外国での感染症情報を集約し、感染症情報データベース（ＤＢ）１１に記憶する。
【００２４】
感染症情報管理装置１０として利用されるコンピュータは、図４に示すように、制御部１０１、記憶部１０２、メディア入出力部１０３、周辺機器Ｉ／Ｆ部１０４、入力部１０５、表示部１０６、通信Ｉ／Ｆ１０７等が、バス１０９を介して接続される。但し、図４の例は一般的な例であり、用途、目的に応じて様々な構成をとることが可能である。
【００２５】
感染症情報ＤＢ１１は、図５に示すように、感染症の名称(感染症名)、国名、感染症に感染してから発症するまでの潜伏期間、感染症を発症してから完治・回復するまでの有病期間、症状、治療情報、感染症の流行期間等の他、感染症に関する各種の情報（以下、感染症情報という）を記憶するデータベースである。
【００２６】
医療施設のサーバ３０及びクライアント端末２０ａ、２０ｂは、ネットワーク４０を介して感染症情報管理装置１０にアクセスし、感染症情報ＤＢ１１に記憶されている感染症情報を検索することができる。また必要に応じて、感染症情報管理装置１０へのアクセス権限を設け、予め申請のあった医療施設等に限定して情報を提示する等、機密漏洩の防止を図ることが望ましい。
【００２７】
なお、感染症情報管理装置１０を医療施設内に設置しネットワーク４０を介さずに病院内のＬＡＮ４１に接続してもよい。また感染症情報ＤＢ１１はサーバ３０の記憶部３０２に記憶する構成としてもよい。
【００２８】
次に、図６を参照して感染症情報提示処理全体の流れについて説明する。なお、図６に示す処理の流れは、第１〜第３の実施の形態において共通とする。
【００２９】
外国人や渡航先から帰国した患者が、電子カルテシステム１が設置された医療施設に来院すると、例えば受付の病院スタッフは患者の渡航歴情報をクライアント端末２０ｂに入力する（ステップＳ１０１）。渡航歴は、例えば口頭もしくは調査票等により患者に問い合わせればよい。病院スタッフは受付のクライアント端末２０ｂに、問合せにより得た回答の内容（渡航歴情報）を入力する。
また、渡航歴はパスポート情報読取装置２０８によりパスポートから読み取った情報から抽出して取得するようにしてもよい。
【００３０】
ステップＳ１０１で入力する渡航歴の情報は、外国人の患者の場合は、どの国にいつの時点まで居住していたかを示す入出国の履歴情報（渡航国名、渡航国への入国日及び出国日等）である。また、居住している国から渡航先を経由して入国した外国人の患者の場合、入力する渡航歴の情報は、居住している国及び渡航先の国と各国での滞在期間を示す入出国の履歴情報である。帰国した患者の場合、渡航先の国と渡航先での滞在期間を示す入出国の履歴情報である。なお、外国とは当該電子カルテシステム１のサーバ３０が設置される医療施設が属する国以外の国とする。
【００３１】
例えば、邦人が渡航して帰国した場合は、クライアント端末２０ｂは、患者から渡航先の国名と、滞在期間（その国への入国年月日と出国年月日）を聞き取り、クライアント端末２０ａに入力する。
【００３２】
入力された渡航歴情報は、患者の識別情報（以下、患者ＩＤと呼ぶ）とともにクライアント端末２０ａからサーバ３０へ通知される。サーバ３０は患者の渡航歴情報を患者ＩＤと紐づけて記憶部３０２に保持する。
【００３３】
医師等が診察室にて患者の診察を行う際、診察室に設置されたクライアント端末２０ａが操作される。クライアント端末２０ａは医師等の操作に従って、サーバ３０に対して患者の患者ＩＤと、感染症に関する情報を取得するための要求（感染症情報取得要求）を送信する（ステップＳ１０２）。
【００３４】
サーバ３０は、クライアント端末２０ａが送信した感染症情報取得要求を受信すると、ステップＳ１０１で取得した渡航歴情報に基づいて渡航国名リスト５１を作成する（ステップＳ１０３）。渡航国名リスト５１は、図７に示すように渡航先の国名のリストである。
【００３５】
次に、サーバ３０は感染症情報管理装置１０にアクセスし、ステップＳ１０３で作成した渡航国名リスト５１と当該渡航国名リスト５１に含まれる国で発生した感染症に関する情報を取得するための要求（感染症情報取得要求）を感染症情報管理装置１０に送信する（ステップＳ１０４）。感染症情報管理装置１０は、渡航国名リスト５１及び感染症情報取得要求を受信すると、渡航国名リスト５１に含まれる国名をキーとして感染症に関する情報を感染症情報ＤＢ１１から検索する（ステップＳ１０５）。検索の結果に基づき、感染症情報管理装置１０は渡航国毎の感染症名リスト５３を作成する。感染症名リスト５３の例を図８に示す。図８の例では患者の渡航先であるインドで発生した感染症名として「デング熱」と「マラリア」等が含まれている。
【００３６】
また感染症情報管理装置１０は、ステップＳ１０５で作成された感染症名リスト５３に含まれる感染症に関する情報（感染症情報）として、少なくとも潜伏期間及び有病期間の情報を感染症情報ＤＢ１１から取得し、感染症名リスト５３とともに要求元のサーバ３０へ送信する（ステップＳ１０６）。サーバ３０は、感染症情報管理装置１０から送信された情報（感染症名リスト５３、感染症情報、潜伏期間、有病期間）を受信する（ステップＳ１０７）。
【００３７】
次に、サーバ３０は患者が感染症に罹患した可能性の度合いを示す感染症罹患度（以下、罹患度という）を算出する（ステップＳ１０８）。罹患度は、患者が渡航した国毎に、各感染症の潜伏期間と有病期間との和と、渡航歴の出国日時から現在までの期間とを比較することにより算出される。罹患度算出処理の詳細は後述する（図１０参照）。
【００３８】
サーバ３０は、ステップＳ１０２でクライアント端末２０ａから送信された感染症情報取得要求に対する応答として、ステップＳ１０７で受信した感染症情報及びステップＳ１０８で算出した罹患度を要求元のクライアント端末２０ａに送信する（ステップＳ１０９）。クライアント端末２０ａはサーバ３０から罹患度及び感染症情報を受信すると、受信した感染症情報と罹患度を表示する。例えば、図９に示すような罹患度リスト５４が要求元のクライアント端末２０ａにて表示される。
【００３９】
図９の罹患度リスト５４では、感染症名、国名、罹患度が表示される。罹患度は例えば「高」、「中」、「低」のような複数段階のレベルで表示される。図９の例の場合、「デング熱」は国名「インド」、罹患度「高」のように表示され、「マラリア」については国名「インド」、罹患度「高」のように表示される。これにより、医師等は簡単に、患者が罹患している可能性のある感染症の名称や国名、罹患度を確認できる。
【００４０】
なお、感染症情報及び罹患度の表示は、罹患度が高いものから順に並べ替えられて表示されることが望ましい。また、該当国への入出国と現在の日付から罹患の可能性がない感染症については、表示が省略されることが望ましい。このような表示とすることで、必要な情報へのアクセスをより効率的に行えるようになる。
【００４１】
次に、図１０を参照してサーバ３０が実行する罹患度算出処理（図６のステップＳ１０８）について説明する。
図１０のフローチャートに示すように、罹患度算出処理において、サーバ３０はステップＳ１０３で作成した渡航国名リスト５１を取得する（ステップＳ２０１）。また、ステップＳ１０１で入力された渡航歴情報に基づいて各渡航先の入国日及び出国日を取得する（ステップＳ２０２）。ステップＳ２０１〜ステップＳ２０２の処理により図１１に示すような各渡航国についての入国日及び出国日の情報を含む渡航国名リスト５５が作成され、サーバ３０のＲＡＭまたは記憶部３０２に保持される。
【００４２】
サーバ３０は、ステップＳ２０２で作成した渡航国名リスト５５のｍ番目の渡航国について（初回はｍ＝１、２回目以降はｍ＝ｍ＋１）、感染症名リスト５３を取得する（ステップＳ２０３）。各渡航国の感染症名リスト５３は、図６のステップＳ１０７において感染症情報管理装置１０からサーバ３０へ送信され、サーバ３０の記憶部３０２に記憶されている。
【００４３】
次にサーバ３０はステップＳ２０３で取得した感染症名リスト５３のｎ番目の感染症について（初回はｎ＝１、２回目以降はｎ＝ｎ＋１）、潜伏期間及び有病期間を取得する（ステップＳ２０４）。潜伏期間及び有病期間は図６のステップＳ１０７において感染症情報管理装置１０から送信され、サーバ３０の記憶部３０２に記憶されている。
【００４４】
サーバ３０は、潜伏期間と有病期間の和（Ｔ１）と、現在日時とｍ番目の渡航先の出国日時との差（Ｔ２）とを比較する（ステップＳ２０５）。現在日時とは、罹患度算出処理を実行している日（演算実行日）である。なお、現在日時に代えて、ユーザが指定した日付としてもよい。その場合は、現在の罹患度ではなく指定日付における罹患度が算出される。
【００４５】
ステップＳ２０５の比較において、
Ｔ１（潜伏期間＋有病期間）≧Ｔ２（現在日時−出国日時）の場合（ステップＳ２０５；Ｙｅｓ）、罹患度を「高」とする（ステップＳ２０６）。
Ｔ１（潜伏期間＋有病期間）＜Ｔ２（現在日時−出国日時）の場合（ステップＳ２０５；Ｎｏ）、罹患度を「低」とする（ステップＳ２０７）。
【００４６】
ステップＳ２０６〜ステップＳ２０７で算出された罹患度はＲＡＭに保持される。
【００４７】
次に、サーバ３０は感染症名リスト５３に含まれる全ての感染症についてステップＳ２０５の判定を行ったか否かを判定し、判定を行っていない感染症がある場合は（ステップＳ２０８；Ｎｏ）、ステップＳ２０４へ戻り、次の感染症（ｎ＝ｎ＋１）についてステップＳ２０４〜ステップＳ２０７の処理を繰り返す。
【００４８】
感染症名リスト５３に含まれる全ての感染症について罹患度の算出が終了した場合は（ステップＳ２０８；Ｙｅｓ）、ステップＳ２０９へ進む。ステップＳ２０９では、サーバ３０は渡航国名リスト５１（５５）に含まれる全ての渡航国について罹患度の算出を行ったか否かを判定し、罹患度の算出を行っていない渡航国がある場合は（ステップＳ２０９；Ｎｏ）、ステップＳ２０３へ戻り、次の渡航国（ｍ＝ｍ＋１）についてステップＳ２０３〜ステップＳ２０８の処理を繰り返す。
【００４９】
渡航国名リスト５１（５５）に含まれる全ての感染症について罹患度の算出が終了した場合は（ステップＳ２０９；Ｙｅｓ）、罹患度算出処理を終了する。
【００５０】
上述の罹患度算出処理の具体例を、図１２を参照して説明する。
ある患者が日本を出国し、韓国、インドに順番に滞在後、日本に帰国したとする。また、韓国では感染症「ＭＥＲＳ（中東呼吸器症候群）」が流行し、インドでは感染症「デング熱」が流行しているものとする。
図１２の下段に示すように、感染症「ＭＥＲＳ」の潜伏期間と有病期間の和Ｔ１（ＭＥＲＳ）と、患者が韓国から出国してから現在までの期間Ｔ２（韓国）とを比較すると、Ｔ２（韓国）の方が長い。したがって感染症「ＭＥＲＳ」の罹患度は「低」と算出される。
【００５１】
一方、図１２の上段に示すように、感染症「デング熱」の潜伏期間と有病期間の和Ｔ１（デング熱）と、患者がインドから出国して現在の期間Ｔ２（インド）とを比較すると、Ｔ２（インド）の方が小さい。したがって、感染症「デング熱」の罹患度は「高」と判定される。
【００５２】
以上説明したように、本発明の第１の実施の形態では、帰国者または入国者である患者が罹患している可能性のある感染症の潜伏期間と有病期間とについて罹患度を算出し、一覧表示する。これにより、ユーザ(医師等)は罹患している可能性が高い感染症に関する情報(感染症情報)を効率よく確認できる。よってユーザ（医師等）が重要な感染症情報を見落すリスクを低減できる。
【００５３】
なお、必要な情報へのアクセスをより簡素にするために、渡航先での滞在中に感染症が流行していない場合には、算出した罹患度を下げるようにしてもよい。すなわち、流行期間（流行開始日及び流行終了日）の情報を感染症情報管理装置１０から取得可能し、図１０のステップＳ２０６またはステップＳ２０７の後に、図１３に示す罹患度調整処理を追加してもよい。罹患度調整処理について図１３を参照して説明する。
【００５４】
罹患度調整処理において、サーバ３０はステップＳ２０６またはステップＳ２０７で算出した各感染症の罹患度を取得する（ステップＳ３０１）。またサーバ３０は、感染症情報管理装置１０に対し、各感染症の流行期間の検索要求を送信し、流行期間を取得する（ステップＳ３０２）。ステップＳ３０１で取得した罹患度が「高」でない場合（ステップＳ３０３；Ｎｏ）、罹患度の調整を行わずそのまま処理を終了する。ステップＳ３０１で取得した罹患度が「高」の場合（ステップＳ３０３；Ｙｅｓ）、入国日と感染症情報の流行終了日とを比較し、入国日の方が大きい（入国日の方が後の）場合は（ステップＳ３０４；Ｙｅｓ）、感染症の流行が終了した後の入国であるので罹患度を「低」に更新する（ステップＳ３０６）。また、入国日と感染症情報の流行終了日とを比較し、入国日の方が小さい（入国日の方が前の）場合は（ステップＳ３０４；Ｎｏ）、更に出国日と感染症情報の流行開始日とを比較する（ステップＳ３０５）。流行開始日の方が出国日より大きい（後の）場合は（ステップＳ３０５；Ｙｅｓ）、感染症が流行する前に出国したので、罹患度を「低」に更新する（ステップＳ３０６）。流行開始日が出国日より前の場合は（ステップＳ３０５；Ｎｏ）、図１０の罹患度算出処理で算出した罹患度をそのまま変更しないものとする。
【００５５】
図１３の罹患度調整処理により、罹患度が「高」と判定された感染症のうち、流行期間中の滞在でない場合は罹患度を下げるよう調整することが可能となる。これにより、より正確に罹患度を算出できるため医師等は確認すべき情報を選択しやすくなる。
【００５６】
［第２の実施の形態］
次に、図１４〜図１５を参照して本発明の第２の実施の形態について説明する。
感染症の潜伏期間や有病期間等は一般に「ｘ日間からｙ日間」のように幅のある期間で記録されている。また、調査機関や調査した時期等によって数値が異なることもある。そこで、第２の実施の形態では、サーバ３０は感染症情報管理装置１０（図１）の感染症情報ＤＢ１１にて、感染症に対する潜伏期間及び有病期間の統計的データを検索可能とする。潜伏期間及び有病期間の統計的データとは、例えば潜伏期間の最大値、最小値、平均値、有病期間の最大値、最小値、平均値等である。
【００５７】
第２の実施の形態における感染症情報提示処理の流れは、図６（第１の実施の形態）と同様である。ただし、図６のステップＳ１０６の感染症情報管理装置１０からサーバ３０への情報送信ステップにおいて、感染症情報管理装置１０は感染症情報ＤＢ１１から感染症の潜伏期間及び有病期間の統計的データ（最大値、最小値、平均値）を検索し、感染症名リスト、感染症情報とともに潜伏期間及び有病期間の統計的データ（最大値、最小値、平均値）を送信する。サーバ３０は、ステップＳ１０７において、渡航国名リスト５１に含まれる各渡航国の感染症名リスト、感染症情報とともに潜伏期間及び有病期間の統計的データ（最大値、最小値、平均値）を受信する。
【００５８】
また、図１０のステップＳ１０８の罹患度算出処理において、第２の実施の形態の感染症情報提示装置（サーバ３０）は、図１４に示す罹患度算出処理（２）を実行する。
【００５９】
以下、サーバ３０が実行する罹患度算出処理（２）（図６のステップＳ１０８の別の例）について説明する。
【００６０】
図１４のフローチャートに示すように、サーバ３０はステップＳ１０３で作成した渡航国名リスト５１を取得する（ステップＳ４０１）。また各渡航先の入国日、出国日を取得する（ステップＳ４０２）。ステップＳ４０１〜ステップＳ４０２の処理により図１１に示すような各渡航国についての入国日及び出国日の情報を含む渡航国名リスト５５が作成され、サーバ３０のＲＡＭまたは記憶部３０２に保持される。
【００６１】
サーバ３０は、ステップＳ４０２で作成した渡航国名リスト５５のｍ番目の渡航国について（初回はｍ＝１、２回目以降はｍ＝ｍ＋１）、感染症名リスト５３を取得する（ステップＳ４０３）。各渡航国の感染症名リスト５３は、図６のステップＳ１０７において感染症情報管理装置１０から送信され、サーバ３０の記憶部３０２に記憶されている。
【００６２】
次にサーバ３０はステップＳ４０３で取得した感染症名リスト５３のｎ番目の感染症について（初回はｎ＝１、２回目以降はｎ＝ｎ＋１）、潜伏期間及び有病期間を取得する（ステップＳ４０４）。第２の実施の形態では、潜伏期間及び有病期間として、上述したように統計的データ（最大値、最小値、平均値）を取得する。
【００６３】
次にサーバ３０は、潜伏期間及び有病期間の平均値の和（Ｔ１_ａｖｇ＝潜伏期間（平均値）＋有病期間（平均値））を算出する（ステップＳ４０５）。
またサーバ３０は、潜伏期間及び有病期間の最大値の和（Ｔ１_ｍａｘ＝潜伏期間（最大値）＋有病期間（最大値））を算出する（ステップＳ４０６）。
またサーバ３０は、潜伏期間及び有病期間の平均値の和（Ｔ１_ｍｉｎ＝潜伏期間（最小値）＋有病期間（最小値））を算出する（ステップＳ４０７）。
またサーバ３０は、現在日時とｍ番目の渡航先の出国日との差（Ｔ２＝現在日時−出国日時）を算出する（ステップＳ４０８）。現在日時は、当該罹患度算出処理を実行している日（演算実行日）である。なお、現在日時に代えてユーザが指定した日付としてもよい。その場合は、現在の罹患度ではなく指定日付における罹患度が算出される。
【００６４】
次にサーバ３０は、潜伏期間と有病期間の和（Ｔ１_ａｖｇ、Ｔ１＿ｍａｘ、Ｔ１＿ｍｉｎ）と現在日時とｍ番目の渡航国の出国日時との差（Ｔ２）とを比較する。
【００６５】
Ｔ１＿ｍｉｎ（潜伏期間（最小値）＋有病期間（最小値））≧Ｔ２（現在日時−出国日時）の場合（ステップＳ４０９；Ｙｅｓ）、罹患度を「高高」とする（ステップＳ４１０）。
Ｔ１＿ａｖｇ（潜伏期間（平均値）＋有病期間（平均値））≧Ｔ２（現在日時−出国日時）の場合（ステップＳ４１１；Ｙｅｓ）、罹患度を「高」とする（ステップＳ４１２）。
Ｔ１＿ｍａｘ（潜伏期間（最大値）＋有病期間（最大値））≧Ｔ２（現在日時−出国日時）の場合（ステップＳ４１３；Ｙｅｓ）、罹患度を「中」とする（ステップＳ４１４）。
Ｔ１＿ｍｉｎ＜Ｔ２、かつ、Ｔ１＿ａｖｇ＜Ｔ２、かつ、Ｔ１＿ｍａｘ＜Ｔ２の場合は（ステップＳ４０９；Ｎｏ→ステップＳ４１１；Ｎｏ→ステップＳ４１３；Ｎｏ）、罹患度を「低」とする（ステップＳ４１５）。ステップＳ４０９〜ステップＳ４１５で算出された罹患度はＲＡＭに保持される。
【００６６】
次に、サーバ３０は感染症名リスト５３に含まれる全ての感染症について罹患度算出を行ったか否かを判定し、罹患度を算出していない感染症がある場合は（ステップＳ４１６；Ｎｏ）、ステップＳ４０４へ戻り、次の感染症（ｎ＝ｎ＋１）についてステップＳ４０４〜ステップＳ４１５の処理を繰り返す。
【００６７】
感染症名リスト５３に含まれる全ての感染症について罹患度の算出が行われると（ステップＳ４１６；Ｙｅｓ）、ステップＳ４１７へ進む。ステップＳ４１７では、サーバ３０は渡航国名リスト５１（５５）に含まれる全ての渡航国について罹患度の算出を行ったか否かを判定し、罹患度の算出を行っていない渡航国がある場合は（ステップＳ４１７；Ｎｏ）、ステップＳ４０３へ戻り、次の渡航国（ｍ＝ｍ＋１）についてステップＳ４０３〜ステップＳ４１６の処理を繰り返す。
【００６８】
渡航国名リスト５１（５５）に含まれる全ての渡航国について罹患度の算出が終了した場合は（ステップＳ４１７；Ｙｅｓ）、罹患度算出処理（２）を終了する。
【００６９】
上述の罹患度算出処理（２）の具体例を、図１５を参照して説明する。
ある患者が日本を出国し、韓国に滞在後、日本に帰国したとする。また、韓国では感染症「ＭＥＲＳ」が流行しているものとする。図１５に示すように、感染症「ＭＥＲＳ」の潜伏期間と有病期間が例えば「３日〜５日」のように幅のある期間で感染症情報ＤＢ１１に記憶されている場合、潜伏期間と有病期間の最大値の和Ｔ１＿ｍａｘ、平均値の和Ｔ１＿ａｖｇ、最小値の和Ｔ１＿ｍｉｎを求める。図１５の例の場合、潜伏期間(最大値)と有病期間(最大値)の和（Ｔ１＿ｍａｘ）と、患者が韓国から出国して日本に帰国してから現在日時までの期間Ｔ２とを比較すると、Ｔ１＿ａｖｇより大きく、Ｔ２＿ｍａｘより小さい。したがって罹患度は「中」と算出される。
【００７０】
以上説明したように、第２の実施の形態では、第１の実施の形態と比較して罹患度をより詳細に算出できる。
なお、感染症の流行期間（流行開始日及び流行終了日）を感染症情報管理装置１０から取得可能な場合は、ステップＳ４１０、ステップＳ４１２、ステップＳ４１４、またはステップＳ４１５の後に、図１３に示す罹患度調整処理を追加して流行期間に基づいて罹患度を変更してもよい。罹患度調整処理では、サーバ３０は罹患度が「高高」、「高」、「中」である感染症に対して、その感染症に該当する国への入国日と感染症の流行期間(流行終了日)、または出国日と感染症の流行期間(流行開始日)を比較する。流行期間外に該当国に滞在した場合は、罹患度を「低」に変更する。
【００７１】
［第３の実施の形態］
次に、図１６〜図１７を参照して本発明の第３の実施の形態について説明する。
第３の実施の形態では、サーバ３０は感染症情報管理装置１０（図１）の感染症情報ＤＢ１１から感染症に対する潜伏期間及び有病期間の統計的データを検索可能とする。潜伏期間及び有病期間の統計的データとは、第３の実施の形態では、潜伏期間の平均値及び分散値、有病期間の平均値及び分散値等である。
【００７２】
第３の実施の形態における感染症情報提示処理の流れは、図６（第１の実施の形態）と同様である。ただし、図６のステップＳ１０６の感染症情報管理装置１０からサーバ３０への情報送信ステップにおいて、感染症情報管理装置１０は感染症情報ＤＢ１１から感染症の潜伏期間及び有病期間の統計的データ（平均値及び分散値）を検索し、感染症名リスト、感染症情報とともに潜伏期間及び有病期間の統計的データ（平均値及び分散値）を送信する。サーバ３０は、ステップＳ１０７において、渡航国名リスト５１に含まれる各渡航国の感染症名リスト、感染症情報とともに潜伏期間及び有病期間の統計的データ（平均値及び分散値）を受信する。
【００７３】
また、図１０のステップＳ１０８の罹患度算出処理において、第２の実施の形態の感染症情報提示装置（サーバ３０）は、図１６に示す罹患度算出処理（３）を実行する。
【００７４】
以下、サーバ３０が実行する罹患度算出処理（３）（図６のステップＳ１０８の別の例）について説明する。
【００７５】
図１６のフローチャートに示すように、サーバ３０はステップＳ１０３で作成した渡航国名リスト５１を取得する（ステップＳ５０１）。また各渡航先の入国日、出国日を取得する（ステップＳ５０２）。ステップＳ５０１〜ステップＳ５０２の処理により図１１に示すような各渡航国についての入国日及び出国日の情報を含む渡航国名リスト５５が作成され、サーバ３０のＲＡＭまたは記憶部３０２に保持される。
【００７６】
サーバ３０は、ステップＳ５０２で作成した渡航国名リスト５５のｍ番目の渡航国について（初回はｍ＝１、２回目以降はｍ＝ｍ＋１）、感染症名リスト５３を取得する（ステップＳ５０３）。各渡航国の感染症名リスト５３は図６のステップＳ１０７において感染症情報管理装置１０から送信され、サーバ３０の記憶部３０２に記憶されている。
【００７７】
次に、サーバ３０はステップＳ５０３で取得した感染症名リスト５３のｎ番目の感染症について（初回はｎ＝１、２回目以降はｎ＝ｎ＋１）、潜伏期間及び有病期間を取得する（ステップＳ５０４）。第３の実施の形態では、潜伏期間及び有病期間として、上述したように統計的データ（平均値及び分散値）を取得する。
【００７８】
次にサーバ３０は、潜伏期間及び有病期間の平均値の和（Ｔ１_ａｖｇ＝潜伏期間（平均値）＋有病期間（平均値））を算出する（ステップＳ５０５）。
またサーバ３０は、潜伏期間(分散値)と有病期間(分散値)の和の平方根（Ｔ１_ｓｔｄ）を算出する（ステップＳ５０６）。
またサーバ３０は、現在日時とｍ番目の渡航先の出国日時との差（Ｔ２＝現在日時−出国日時）を算出する（ステップＳ５０７）。現在日時は、当該罹患度算出処理を実行している日（演算実行日）である。なお、現在日時に代えてユーザが指定した日付としてもよい。その場合は、現在の罹患度ではなく指定日付における罹患度が算出される。
【００７９】
更にサーバ３０は、Ｔ１に対するＴ２の偏差値Ｄを算出する（ステップＳ５０８）。偏差値Ｄは、次の式（１）により求められる。
【００８０】
【数１】
2017126244.tif 000003
【００８１】
次にサーバ３０は、ステップＳ５０８で算出した偏差値Ｄの値に応じて罹患度を決定する（ステップＳ５０９）。
偏差値Ｄが６３以上の場合は罹患度を「低低」としてステップＳ５１５へ進む。
偏差値Ｄが５６以上６３未満の場合は罹患度を「低」としてステップＳ５１５へ進む。
偏差値Ｄが４５以上５６未満の場合は罹患度を「中」としてステップＳ５１５へ進む。
偏差値Ｄが３８以上４５未満の場合は罹患度を「高」としてステップＳ５１５へ進む。
偏差値Ｄが３８未満の場合は罹患度を「高高」としてステップＳ５１５へ進む。
【００８２】
なお、ここでは感染症情報の潜伏期間と有病期間が正規分布であると仮定して偏差値Ｄに基づいて罹患度を５段階のレベルに分類しているが、正規分布以外にも、二項分布、ポアソン分布等の確率分布等を用いてもよい。また罹患度の分類は５段階に限定せず、より大まかに分類してもよいし、より細かく分類してもよい。また求めた偏差値Ｄをそのまま提示してもよい。また、潜在期間及び有病期間の統計的データや出国日時と現在日時との差等から偏差値Ｄ以外の指標を算出して提示してもよい。
【００８３】
次に、サーバ３０は感染症名リスト５３に含まれる全ての感染症について罹患度算出を行ったか否かを判定し、罹患度を算出していない感染症がある場合は（ステップＳ５１５；Ｎｏ）、ステップＳ５０４へ戻り、次の感染症（ｎ＝ｎ＋１）についてステップＳ５０４〜ステップＳ５１４の処理を繰り返す。
【００８４】
感染症名リスト５３に含まれる全ての感染症について罹患度の算出が行われると（ステップＳ５１５；Ｙｅｓ）、ステップＳ５１６へ進む。ステップＳ５１６では、サーバ３０は渡航国名リスト５１（５５）に含まれる全ての渡航国について罹患度の算出を行ったか否かを判定し、罹患度の算出を行っていない渡航国がある場合は（ステップＳ５１６；Ｎｏ）、ステップＳ５０３へ戻り、次の渡航国（ｍ＝ｍ＋１）についてステップＳ５０３〜ステップＳ５１５の処理を繰り返す。
【００８５】
渡航国名リスト５１（５５）に含まれる全ての渡航国について罹患度の算出が終了した場合は（ステップＳ５１６；Ｙｅｓ）、罹患度算出処理（３）を終了する。
【００８６】
上述の罹患度算出処理（３）の具体例を、図１７を参照して説明する。
ある患者が日本を出国し、韓国に滞在後、日本に帰国したとする。また、韓国では感染症「ＭＥＲＳ」が流行しているものとする。図１７に示すように患者が韓国から出国して日本に帰国してから現在の期間Ｔ２と、潜伏期間の平均値、分散値、有病期間の平均値、分散値から求めた偏差値Ｄが５６以上６３未満の場合、罹患度は「低」と判定される。
【００８７】
以上説明したように、第３の実施の形態では、第１の実施の形態と比較して罹患度をより詳細に算出できる。
なお、感染症の流行期間（流行開始日及び流行終了日）を感染症情報管理装置１０から取得可能な場合は、ステップＳ５１０〜ステップＳ５１４の後に、図１３に示す罹患度調整処理を追加して流行期間に基づいて罹患度を変更してもよい。罹患度調整処理では、サーバ３０は罹患度が「高高」、「高」、「中」である感染症に対して、その感染症に該当する国への入国日と感染症情報の流行期間(流行終了日)または渡航歴情報の出国日と感染症情報の流行期間(流行開始日)を比較する。流行期間外に該当国に滞在した場合は、罹患度を「低」に変更してもよい。
【００８８】
［第４の実施の形態］
次に、図１８〜図２３を参照して本発明の第４の実施の形態について説明する。
第４の実施の形態では、図１に示す電子カルテシステム１において、サーバ３０は患者への問診の回答に基づいて感染症の症状に類似するか否かを示す類似度を算出する。
【００８９】
図１８は問診項目リスト６１の一例である。問診項目リスト６１には、例えば、体温、頭痛、目窩痛、関節痛、筋肉痛、発疹等のいくつかの問診項目が含まれる。各問診項目のキーワード（以下、問診値という。）に対する回答が、クライアント端末２０ａ、２０ｂにおいて、体温「４０度」、頭痛「激しい」、目窩痛「ある」、関節痛「ある」、筋肉痛「ある」、発疹「ある」のように入力される。
【００９０】
また、感染症情報管理装置１０の感染症情報ＤＢ１１は、各感染症について問診値と感染症症状値とを紐づけて格納した症状データテーブル６２を記憶しているものとする。図１９は症状データテーブル６２の例を示す。症状データテーブル６２には、問診項目リスト６１に対応する各問診値について感染症に感染した場合に起こる典型的な症状である感染症症状値が定義されている。図１９の例では、問診値「体温」に対する感染症症状値は「３８度、３９度、４０度」、問診値「頭痛」に対する感染症症状値は「激しい」、問診値「目窩痛」に対する感染症症状値は「ある」、問診値「関節痛」に対する感染症症状値は「ある」、問診値「筋肉痛」に対する感染症症状値は「ある」、問診値「発疹」に対する感染症症状値は「ある」…というように、各問診値に対する感染症症状値が定義されている。症状データテーブル６２は、感染症毎に作成され感染症情報ＤＢ１１に記憶されているものとする。
【００９１】
次に図２０を参照して、第４の実施の形態の感染症情報提示処理の流れについて説明する。
第４の実施の形態の感染症情報提示処理では、第１の実施の形態の感染症情報提示処理（図６）と比較して、クライアント端末２０ａ、２０ｂにおいて問診を行って患者の症状を入力する点（ステップＳ６０１）と、問診により得た患者の症状に基づきサーバ３０が感染症類似度を算出して提示する点（ステップＳ６１０）が追加される。
【００９２】
図２０に示すように、外国人や渡航先から帰国した患者が、電子カルテシステム１が設置された医療施設に来院すると、まず受付にて病院スタッフが問診項目リスト６１に沿って問診を行い患者から回答を得る。問診項目の回答が病院スタッフによりクライアント端末２０ｂに入力される（ステップＳ６０１）。また、病院スタッフは患者の渡航歴情報をクライアント端末２０ｂに入力する（ステップＳ６０２）。渡航歴は、口頭もしくは調査票等により患者に問い合わせればよい。病院スタッフは、受付のクライアント端末２０ｂに回答の内容（渡航歴情報）を入力する。
【００９３】
ステップＳ６０１及びステップＳ６０２でクライアント端末２０ａ、２０ｂから入力された問診情報や渡航歴情報は、患者の識別情報（以下、患者ＩＤと呼ぶ）とともにサーバ３０へ通知される。サーバ３０は患者の問診情報や渡航歴情報を患者ＩＤと紐づけて記憶部３０２に保持する。
【００９４】
医師等が診察室にて患者の診察を行う際、クライアント端末２０ａが操作される。クライアント端末２０ａは医師等の操作に従って、サーバ３０に対して当該患者の患者ＩＤと、感染症に関する情報を取得するための要求（感染症情報取得要求）を送信する（ステップＳ６０３）。
【００９５】
サーバ３０は、クライアント端末２０ａが送信した感染症情報取得要求と問診情報、及び渡航歴情報を受信すると、受信した渡航歴情報に基づいて渡航国名リスト５１を作成する（ステップＳ６０４）。渡航国名リスト５１は、図７に示すように渡航先の国名のリストである。
【００９６】
次に、サーバ３０は感染症情報管理装置１０にアクセスし、ステップＳ６０４で作成した渡航国名リスト５１と当該渡航国名リスト５１に含まれる国で発生した感染症に関する情報を取得するための要求（感染症情報取得要求）を渡航国名リストとともに感染症情報管理装置１０に送信する（ステップＳ６０５）。感染症情報管理装置１０は、渡航国名リスト５１と感染症情報取得要求を受信すると、渡航国名リスト５１に含まれる国名をキーとして患者が罹患している可能性のある感染症を感染症情報ＤＢ１１から検索する（ステップＳ６０６）。感染症情報管理装置１０は、検索の結果に基づき渡航国毎の感染症名リスト５３を作成する。
【００９７】
また、感染症情報管理装置１０は、ステップＳ６０６で作成された感染症名リスト５３に含まれる感染症に関する情報（感染症情報）として、少なくとも潜伏期間及び有病期間の情報を感染症情報ＤＢ１１から取得し、感染症名リスト５３とともに要求元のサーバ３０へ送信する（ステップＳ６０７）。ここで、サーバ３０へ送信される感染症情報には、感染症についての症状データテーブル６２が含まれるものとする。
【００９８】
サーバ３０は、感染症情報管理装置１０から送信された情報（感染症名リスト５３、感染症情報（症状データテーブル６２を含む）、潜伏期間、有病期間）を受信する（ステップＳ６０８）。
【００９９】
次に、サーバ３０は患者の渡航歴に基づき各感染症の罹患度を算出する（ステップＳ６０９）。罹患度は、第１〜第３の実施の形態のうちいずれかの手法で求めるものとする。
【０１００】
また、サーバ３０はステップＳ６０３でクライアント端末２０ａから送信された問診情報とステップＳ６０８で受信した感染症情報等に基づき感染症類似度を算出する（ステップＳ６１０）。感染症類似度の算出処理の詳細については後述する。
【０１０１】
サーバ３０は、ステップＳ１０２でクライアント端末２０ａから送信された感染症情報取得要求に対する応答として、ステップＳ６０８で受信した感染症情報と、ステップＳ６０９で算出した罹患度と、ステップＳ６１０で算出した感染症類似度とを要求元のクライアント端末２０ａに送信する（ステップＳ６１１）。クライアント端末２０ａはサーバ３０から感染症情報、罹患度、感染症類似度を受信すると、受信した感染症情報、罹患度、感染症類似度を表示する。例えば図２１に示すような感染症罹患度・類似度リスト６５を表示する。
【０１０２】
罹患度や感染症類似度は、例えば「高高」、「高」、「中」、「低」、「低低」のような複数段階のレベルで求められる。図２１に示す感染症罹患度・類似度リスト６５には、感染症名と国名、罹患度レベル、感染症類似度レベルが表示され、例えば「デング熱」については国名「インド」、罹患度「高」、感染症類似度「高」のように表示され、「マラリア」については国名「インド」、罹患度「高」、感染症類似度「高」のように表示される。
【０１０３】
次に、図２２を参照して、サーバ３０が実行する感染症類似度算出処理（図２０のステップＳ６１０）について具体的に説明する。
【０１０４】
図２２に示すように、感染症類似度算出処理において、サーバ３０はステップＳ６０４で作成した渡航国名リスト５１を取得する（ステップＳ７０１）。また、渡航歴情報から各渡航国の入国日、出国日を取得する（ステップＳ７０２）。ステップＳ７０１〜ステップＳ７０２の処理により図１１に示すような各渡航国についての入国日及び出国日の情報を含む渡航国名リスト５５が作成され、サーバ３０のＲＡＭまたは記憶部３０２に保持される。
【０１０５】
サーバ３０は、ステップＳ７０２で作成した渡航国名リスト５５のｍ番目の渡航国について（初回はｍ＝１、２回目以降はｍ＝ｍ＋１）、感染症名リスト５３を取得する（ステップＳ７０３）。各渡航国の感染症名リスト５３は図２０のステップＳ６０７において感染症情報管理装置１０からサーバ３０へ送信され、サーバ３０の記憶部３０２に記憶されている。
【０１０６】
次にサーバ３０はステップＳ７０３で取得した感染症名リスト５３のｎ番目の感染症について（初回はｎ＝１、２回目以降はｎ＝ｎ＋１）、症状データテーブル６２と問診情報とを比較する（ステップＳ７０４）。症状データテーブル６２は、図２０のステップＳ６０７において感染症情報管理装置１０からサーバ３０に送信され、サーバ３０の記憶部３０２に記憶されている。問診情報は図２０のステップＳ６０３においてクライアント端末２０ａから送信され、サーバ３０の記憶部３０２に記憶されている。
【０１０７】
サーバ３０は、問診項目リスト６１のｋ番目の問診項目（初回はｋ＝０、２回目以降はｋ＝ｋ＋１）の問診値が症状データテーブル６２の感染症症状値と一致するか否かを判定する（ステップＳ７０５）。例えば、図２３の表６３に示すように、問診項目リスト６１の各項目の問診値（回答）が症状データテーブル６２の感染症症状値とそれぞれ比較される。図２３の問診値はステップＳ６０３でクライアント端末２０ａから取得した問診情報の回答の値であり、感染症症状値はステップＳ６０８で感染症情報管理装置１０から取得した症状データテーブル６２の感染症症状値である。
【０１０８】
図２３において、１番目の問診項目の問診値「体温」に対する回答値は「４０度」であり、感染症症状値は「３８度、３９度、４０度」である。回答値の「４０度」は感染症症状値の「３８度、３９度、４０度」に該当する（ステップＳ７０５；Ｙｅｓ）。この場合、サーバ３０は類似度スコア「１」を加算する（ステップＳ７０６）。同様に、サーバ３０は他の問診項目（頭痛、目窩痛、関節痛、筋肉痛、発疹、…）についても回答値と感染症症状値とを比較し、一致した場合に類似度スコアとして「１」を加算する。このように、問診値と感染症症状値とが一致した場合に（ステップＳ７０５；Ｙｅｓ）、類似度スコアを加算する。全ての問診項目についてステップＳ７０５の判定とステップＳ７０６の類似度スコアの付与を繰り返すことにより感染症類似度が算出される（ステップＳ７０７→ステップＳ７０５、ステップＳ７０６）。
【０１０９】
次に、サーバ３０は感染症名リスト５３に含まれる全ての感染症について感染症類似度の算出（ステップＳ７０５〜ステップＳ７０７）を行ったか否かを判定し、判定を行っていない感染症がある場合は（ステップＳ７０８；Ｎｏ）、ステップＳ７０４へ戻り、次の感染症（ｎ＝ｎ＋１）についてステップＳ７０４〜ステップＳ７０７の処理を繰り返す。
【０１１０】
感染症名リスト５３に含まれる全ての感染症について感染症類似度の算出を行った場合は（ステップＳ７０８；Ｙｅｓ）、ステップＳ７０９へ進む。ステップＳ７０９では、サーバ３０は渡航国名リスト５１（５５）に含まれる全ての渡航国について感染症類似度の算出を行ったか否かを判定し、感染症類似度の算出を行っていない感染症がある場合は（ステップＳ７０９；Ｎｏ）、ステップＳ７０３へ戻り、次の渡航国（ｍ＝ｍ＋１）についてステップＳ７０３〜ステップＳ７０８の処理を繰り返す。
【０１１１】
渡航国名リスト５１（５５）に含まれる全ての渡航国について感染症類似度の算出が終了した場合は（ステップＳ７０９；Ｙｅｓ）、感染症類似度算出処理を終了する。
【０１１２】
なお、感染症類似度算出処理において、図２３の例では各問診項目について等しくスコア「１」を加算しているが、診断における重要度等を加味して問診項目毎に重み付けを行い、各問診項目で異なるスコアを付与するようにしてもよい。
【０１１３】
以上説明したように、第４の実施の形態の感染症情報提示装置（サーバ３０）によれば、罹患度に加え、感染症類似度を算出し提示できる。これにより、ユーザ（医師等）は簡単な問診の結果から、感染症の症状との類似度を知ることができ、その結果により迅速な対応を支援することも可能となる。
【０１１４】
［第５の実施の形態］
次に、図２４を参照して本発明の第５の実施の形態について説明する。
第５の実施の形態では、感染症情報管理装置１０（図１）の感染症情報ＤＢ１１にて、感染症に対する感染症類型、感染力(感染率)、重篤度(致死率)等の感染症の危険性に関する情報を取得可能とする。
【０１１５】
ここで感染症類型とは、感染症の予防及び感染症の患者に対する医療に関する措置を定めた「感染症予防法」により定義される感染症の分類である。例えば「ペスト」は、感染力や罹患した場合の重篤性等に基づく総合的な観点から、危険性が極めて高い感染症であり、「一類感染症」に分類される。感染力(感染率)は、例えば渡航先への渡航者が対象の感染症に感染する確率である。感染力(感染率)の値は対象の渡航先を訪れる全渡航者数を感染した渡航者の数で除算する等の方法で求めることができる。重篤度(致死率)は、例えば対象の感染症について、ある期間の患者数をある期間の対象の感染症の死亡者数で除算する等の方法で求めることができる。
【０１１６】
第１〜第３の実施の形態の感染症情報提示処理（図６）において、感染症情報管理装置１０は、感染症情報として感染症に対する感染症類型、感染力(感染率)、重篤度(致死率)等の感染症の危険性に関する情報も感染症情報ＤＢ１１から検索して取得し、サーバ３０へ送信する（ステップＳ１０６）。サーバ３０は、感染症情報管理装置１０から送信された情報を受信する（ステップＳ１０７）。また、サーバ３０は、感染症情報として感染症に対する感染症類型、感染力(感染率)、重篤度(致死率)等の感染症の危険性に関する情報を感染症の罹患度とともにクライアント端末２０ａに送信する（ステップＳ１０９）。クライアント端末２０ａは感染症情報を表示するための応答として、サーバ３０から感染症に対する感染症類型、感染力(感染率)、重篤度(致死率)等の感染症の危険性に関する情報を感染症の罹患度とともに受信し（ステップＳ１１０）、受信した情報を図２４に示すように一覧表示する（ステップＳ１１１）。
【０１１７】
また、第４の実施の形態の感染症情報提示処理の流れ（図２０）においても同様に、感染症情報管理装置１０は、感染症情報として感染症に対する感染症類型、感染力(感染率)、重篤度(致死率)等の感染症の危険性に関する情報も感染症情報ＤＢ１１から検索して取得し、サーバ３０へ送信する（ステップＳ６０７）。サーバ３０は、感染症情報管理装置１０から送信された情報を受信する（ステップＳ６０８）。サーバ３０は、感染症情報として感染症に対する感染症類型、感染力(感染率)、重篤度(致死率)等の感染症の危険性に関する情報を感染症の罹患度及び感染症類似度とともにクライアント端末２０ａに送信する（ステップＳ６１１）。クライアント端末２０ａは感染症情報を表示するための応答として、サーバ３０から感染症に対する感染症類型、感染力(感染率)、重篤度(致死率)等の感染症の危険性に関する情報を感染症の罹患度とともに受信し（ステップＳ６１２）、受信した情報を図２４に示すように一覧表示する（ステップＳ６１３）。
【０１１８】
図２４はクライアント端末２０ａにおける感染症情報６４の表示例である。
感染症情報６４は、各感染症について、国名、罹患度、感染症類似度、感染症類型、感染力（感染率）、重篤度（致死率）等の情報が一覧表示される。
【０１１９】
第５の実施の形態によれば、患者の感染症の罹患度や感染症類似度とともに、感染症の危険性に関する情報が提示されるため、ユーザは罹患度とともに症状が重篤となる恐れが高い感染症に関する情報を容易に閲覧できる。これにより迅速な対応が可能となる。
【０１２０】
［第６の実施の形態］
次に、図２５を参照して本発明の第６の実施の形態について説明する。
第６の実施の形態では、感染症に対する感染経路、感染経路別予防策等の感染予防に関する情報を取得可能とする。
【０１２１】
感染経路とは、感染源に感染する経路のことである。主な経路としては、手指・食品・器具等を介して感染する接触感染や、咳、くしゃみ、会話等で感染する飛沫感染、感染源が空気中に浮遊し続けることで感染する空気感染等がある。
【０１２２】
感染経路別予防策とは、感染経路に対応した感染予防策である。具体的には手洗い・うがいの励行、手袋・マスクを使用するといった標準予防策の他、それぞれの感染経路に対応した接触予防策飛沫予防策、空気予防策等がある。
【０１２３】
第１〜第３の実施の形態の感染症情報提示処理の流れ（図６）において、感染症情報管理装置１０は、感染症情報として感染症に対する感染経路、感染経路別予防策等の感染症の予防に関する情報も感染症情報ＤＢ１１から検索して取得し、サーバ３０へ送信する（ステップＳ１０６）。サーバ３０は、感染症情報管理装置１０から送信された情報を受信する（ステップＳ１０７）。また、サーバ３０は、感染症情報として感染経路、感染経路別予防策等の感染症の予防に関する情報を感染症の罹患度とともにクライアント端末２０ａに送信する（ステップＳ１０９）。クライアント端末２０ａは感染症情報を表示するための応答として、罹患度とともに感染症に対する感染経路、感染経路別予防策等の感染症の予防に関する情報をサーバ３０から受信する（ステップＳ１１０）。クライアント端末２０ａはサーバ３０から受信した感染症情報を一覧表示する（ステップＳ１１１）。
【０１２４】
また、第４の実施の形態の感染症情報提示処理の流れ（図２０）においても同様に、感染症情報管理装置１０は、感染症情報として感染症に対する感染経路、感染経路別予防策等の感染症の予防に関する情報も感染症情報ＤＢ１１から検索して取得し、サーバ３０へ送信する（ステップＳ６０７）。サーバ３０は、感染症情報管理装置１０から送信された情報を受信する（ステップＳ６０８）。また、サーバ３０は、感染症情報として感染症に対する感染経路、感染経路別予防策等の感染症の予防に関する情報を感染症の罹患度及び感染症類似度とともにクライアント端末２０ａに送信する（ステップＳ６１１）。クライアント端末２０ａは感染症情報を表示するための応答として感染症の罹患度及び感染症類似度とともに感染症に対する感染経路、感染経路別予防策等の感染症の予防に関する情報をサーバ３０から受信する（ステップＳ６１２）。クライアント端末２０ａは、受信した感染症情報を図２５に示すように一覧表示する（ステップＳ６１３）。
【０１２５】
図２５はクライアント端末２０ａにおける感染症情報６６の表示例である。
各感染症について、第５の実施の形態と同様に、国名、感染症罹患度、感染症類似度、感染症類型、感染力（感染率）、重篤度（致死率）等の情報に加え、更に、感染経路、感染経路別予防策等の感染症の予防に関する情報が一覧表示される。
【０１２６】
第６の実施の形態によれば、患者の感染症の罹患度や感染症類似度とともに、感染症の予防に関する情報が提示されるため、ユーザは罹患度とともに感染症の予防に関する情報を閲覧でき、患者に迅速に提案できる。特に、院内感染等に対して迅速な予防策を講じることが可能となる。
【０１２７】
［第７の実施の形態］
次に、図２６〜図２８を参照して本発明の第７の実施の形態について説明する。
第７の実施の形態では、サーバ３０（感染症情報提示装置）は、感染症に感染した患者が周囲の人に感染症を感染させてしまう可能性についての指標である感染可能度を、患者の渡航歴及び各感染症の感染可能期間に基づき算出する。
【０１２８】
ここで感染可能期間とは、感染症に感染した患者が周囲の人に感染症を感染させてしまう期間である。感染症の中には、発症していない潜伏期間においても感染者が周囲の人に感染させてしまうものがある。感染可能期間は、感染症の潜伏期間の開始とともに開始するものとして定義される。
第７の実施の形態では、図２６の感染症情報５７に示すように、各感染症についての感染可能期間が、例えば第１の実施の形態の感染症情報管理装置１０（図１）の感染症情報ＤＢ１１に潜伏期間、有病期間とともに記憶されているものとする。
【０１２９】
第７の実施の形態では、例えば図６に示す第１の実施の形態の処理の流れにおけるステップＳ１０８（罹患度算出ステップ）の後、もしくは例えば図２０に示す第４の実施の形態の処理の流れにおけるステップＳ６１０（感染症類似度算出ステップ）の後等に、感染可能度算出処理を追加する。
【０１３０】
以下、感染可能度算出処理について、図２７のフローチャートを参照して説明する。
感染症類似度算出処理において、サーバ３０はステップＳ１０３で作成した渡航国名リスト５１を取得する（ステップＳ８０１）。また、渡航歴情報から各渡航国の入国日、出国日を取得する（ステップＳ８０２）。ステップＳ８０１〜ステップＳ８０２の処理により図１１に示すような各渡航国についての入国日及び出国日の情報を含む渡航国名リスト５５が作成され、サーバ３０のＲＡＭまたは記憶部３０２に保持される。
【０１３１】
サーバ３０は、ステップＳ８０２で作成した渡航国名リスト５５のｍ番目の渡航国について（初回はｍ＝１、２回目以降はｍ＝ｍ＋１）、感染症名リスト５３を取得する（ステップＳ８０３）。各渡航国の感染症名リスト５３は図６のステップＳ１０７において感染症情報管理装置１０からサーバ３０へ送信され、サーバ３０の記憶部３０２に記憶されている。
【０１３２】
次に、サーバ３０はステップＳ８０３で取得した感染症名リスト５３のｎ番目の感染症について（初回はｎ＝１、２回目以降はｎ＝ｎ＋１）、感染可能期間を取得する（ステップＳ８０４）。感染可能期間は、図６のステップＳ１０６において感染症情報管理装置１０からサーバ３０に送信され、サーバ３０の記憶部３０２に記憶されている。
【０１３３】
サーバ３０は、現在日時とｍ番目の渡航先の出国日時との差（Ｔ２＝現在日時−出国日時）を算出する（ステップＳ８０５）。現在日時は、当該感染可能期間算出処理を実行している日であるが、現在日時に代えてユーザが指定した日付としてもよい。その場合は、現在の感染可能度ではなく指定日付における感染可能度が算出される。
【０１３４】
次にサーバ３０は、ステップＳ８０４で取得した感染可能期間とステップＳ８０５で算出した現在日時とｍ番目の渡航先の出国日時との差（Ｔ２＝現在日時−出国日時）とを比較する（ステップＳ８０６）。
【０１３５】
感染可能期間≧Ｔ２（現在日時−出国日時）の場合（ステップＳ８０６；Ｙｅｓ）、感染可能度を「高」とする（ステップＳ８０７）。
感染可能期間＜Ｔ２（現在日時−出国日時）の場合（ステップＳ８０６；Ｎｏ）、感染可能度を「低」とする（ステップＳ８０８）。
【０１３６】
次に、サーバ３０は感染症名リスト５３に含まれる全ての感染症について感染可能度の算出を行ったか否かを判定し、感染可能度を算出していない感染症がある場合は（ステップＳ８０９；Ｎｏ）、ステップＳ８０４へ戻り、次の感染症（ｎ＝ｎ＋１）についてステップＳ８０４〜ステップＳ８０８の処理を繰り返す。
【０１３７】
感染症名リスト５３に含まれる全ての感染症について感染可能度の算出が行われると（ステップＳ８０９；Ｙｅｓ）、ステップＳ８１０へ進む。ステップＳ８１０では、サーバ３０は渡航国名リスト５１（５５）に含まれる全ての渡航国について感染可能度の算出を行ったか否かを判定し、感染可能度の算出を行っていない感染症がある場合は（ステップＳ８１０；Ｎｏ）、ステップＳ８０３へ戻り、次の渡航国（ｍ＝ｍ＋１）についてステップＳ８０３〜ステップＳ８０９の処理を繰り返す。
【０１３８】
渡航国名リスト５１（５５）に含まれる全ての渡航国について感染可能度の算出が終了した場合は（ステップＳ８１０；Ｙｅｓ）、感染可能度算出処理を終了する。
【０１３９】
以上説明したように、第７の実施の形態では、第１〜第６の実施の形態の効果に加え、感染予防に関する情報として感染可能度を求めて提示するので、感染の恐れのある感染症に関する情報を見落すリスクを更に低減することができる。
【０１４０】
なお、感染可能度を算出する際は、感染可能期間として、第２の実施の形態と同様に感染可能期間の最大値、最小値、平均値を用いたり、第３の実施の形態と同様に感染可能期間の平均値、分散値を用いたりして、感染可能度をより細かいれレベルに分類して算出してもよい。
【０１４１】
また、クライアント端末２０ａに各感染症の罹患度等を表示する際は、罹患度、感染症類似度、感染可能度に優先順位をつけたり、診断における重要度に応じた重み付けをしてスコアを算出し、優先順位の高い順またはスコアの大きい順に並べかえて表示してもよい。優先順位の高い順またはスコアの大きい順に並べかえて表示した場合は、ユーザは患者の症状が重篤となる恐れが高い感染症に関する情報や、院内感染する恐れのある感染症、または院内感染した場合に危険性の高い感染症に関する情報を更に効率よく確認できる。
【０１４２】
図２８は感染症情報表示画面７の一例を示す図である。図２８に示すように、感染症情報表示画面７には、感染症情報として、渡航歴に基づいて検索された感染症情報がリスト表示エリア７１に一覧表示される。図２８の例では、リスト表示エリア７１に、感染症名、国名、感染症罹患度、感染症類似度、感染症類型、感染力（感染率）、重篤度（致死率）、感染経路、感染経路別予防策、感染可能度等の情報が感染症毎に表示される。なお、リスト表示エリア７１における表示順序は、罹患度、感染症類似度、感染力、重篤度、感染経路、感染可能度等の複数の指標値のうち、いずれか一つの指標の値に基づいて決定されてもよいし、複数の指標値を総合してスコアを算出し、スコア順に並べ替えてもよい。また詳細情報表示エリア７２には、最も順位が高い感染症またはユーザが指定した感染症についての詳細情報が表示される。
【０１４３】
これにより患者の症状が重篤となる恐れが高い感染症に関する情報や、院内感染する恐れのある感染症及び院内感染した場合に危険性の高い感染症に関する情報を更に効率的に確認することができる。
【０１４４】
以上、添付図面を参照しながら、本発明の好適な実施形態について説明したが、本発明はかかる例に限定されない。例えば、上述の各実施の形態では、電子カルテシステム１のサーバ３０に感染症情報提示処理の機能を搭載し、感染症情報はネットワーク４０を介してアクセス可能な感染症情報管理装置１０から取得するものとしたが、このようなシステム構成に限定されず、電子カルテシステム１のサーバ３０が感染症情報ＤＢ１１を備えるようにしてもよい。また、画面の表示内容や操作の方法等は一例であり、各種の変更例を含むものとする。その他、当業者であれば、本願で開示した技術的思想の範疇内において、各種の変更例又は修正例に想到し得ることは明らかであり、それらについても当然に本発明の技術的範囲に属するものと了解される。
【符号の説明】
【０１４５】
１・・・・・・・・・・・・電子カルテシステム
１０・・・・・・・・・・・感染症情報管理装置
１１・・・・・・・・・・・感染症情報データベース
２０ａ，２０ｂ・・・・・・クライアント端末
３０・・・・・・・・・・・感染症情報提示装置
３１・・・・・・・・・・・患者情報データベース
４０・・・・・・・・・・・ネットワーク
４１・・・・・・・・・・・ＬＡＮ
５１・・・・・・・・・・・渡航国名リスト
５３・・・・・・・・・・・感染症名リスト
５４・・・・・・・・・・・罹患度リスト
５５・・・・・・・・・・・渡航国名リスト
５７・・・・・・・・・・・感染症情報
６１・・・・・・・・・・・問診項目リスト
６２・・・・・・・・・・・症状データテーブル
６４、６６・・・・・・・・感染症情報
６５・・・・・・・・・・・感染症罹患度・類似度リスト
７・・・・・・・・・・・・感染症情報表示画面
７１・・・・・・・・・・・リスト表示エリア
７２・・・・・・・・・・・詳細情報表示エリア
【図１】
2017126244.tif 000004
【図２】
2017126244.tif 000005
【図３】
2017126244.tif 000006
【図４】
2017126244.tif 000007
【図５】
2017126244.tif 000008
【図６】
2017126244.tif 000009
【図７】
2017126244.tif 000010
【図８】
2017126244.tif 000011
【図９】
2017126244.tif 000012
【図１０】
2017126244.tif 000013
【図１１】
2017126244.tif 000014
【図１２】
2017126244.tif 000015
【図１３】
2017126244.tif 000016
【図１４】
2017126244.tif 000017
【図１５】
2017126244.tif 000018
【図１６】
2017126244.tif 000019
【図１７】
2017126244.tif 000020
【図１８】
2017126244.tif 000021
【図１９】
2017126244.tif 000022
【図２０】
2017126244.tif 000023
【図２１】
2017126244.tif 000024
【図２２】
2017126244.tif 000025
【図２３】
2017126244.tif 000026
【図２４】
2017126244.tif 000027
【図２５】
2017126244.tif 000028
【図２６】
2017126244.tif 000029
【図２７】
2017126244.tif 000030
【図２８】
2017126244.tif 000031